(57)【要約】【課題】  入射するレーザ光とホログラム記録媒体の位置関係のずれを補正可能なホログラム装置を提供する。【解決手段】  マルチモードのレーザ光を発振するレーザ発振部２０を有し、該レーザ発振部２０から発振されるレーザ光をホログラム記録媒体１０に入射させるホログラム装置１において、  上記レーザ発振部２０から発振されるレーザ光の主モードは隣接するサイドモードと連続する波長の半値幅を有し、上記レーザ光は主モードとサイドモードが連続的な波長分布を有して上記ホログラム記録媒体１０に入射する。【選択図】  図４
2005148493.tif 000002
【特許請求の範囲】
【請求項１】
マルチモードのレーザ光を発振するレーザ発振部を有し、該レーザ発振部から発振されるレーザ光をホログラム記録媒体に入射させるホログラム装置において、
上記レーザ発振部から発振されるレーザ光の主モードは隣接するサイドモードと連続する波長の半値幅を有し、上記レーザ光は主モードとサイドモードが連続的な波長分布を有して上記ホログラム記録媒体に入射することを特徴とするホログラム装置。
【請求項２】
上記レーザ発振部は光を共振させる共振器の反射部の表面を凹凸形状に形成して共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴とする請求項１記載のホログラム装置。
【請求項３】
上記レーザ発振部は光を共振させる共振器の反射部が多層膜フィルタにより構成され、該多層膜フィルタに膜厚方向に丘陵状となる反射光強度分布を持たせて共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴とする請求項１記載のホログラム装置。
【請求項４】
上記レーザ発振部は光を共振させる共振器の反射部が多層膜フィルタにより構成され、該多層膜フィルタに所定の反射光強度を有するための最小膜厚の１．５倍以上の膜厚を持たせて共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴とする請求項１記載のホログラム装置。
【請求項５】
上記主モードのピーク値と、上記主モードとサイドモードが連続する部分との発光強度差が２０ｄＢ以内であることを特徴とする請求項１〜４のいずれか１項に記載のホログラム装置。
【請求項６】
マルチモードのレーザ光を発振するレーザ発振部を有し、該レーザ発振部から発振されるレーザ光をホログラム記録媒体に入射させるホログラム装置において、
上記レーザ発振部から発振されるレーザ光は主モードとサイドモードが一体的に連続した丘陵状の波長分布を有して上記ホログラム記録媒体に入射することを特徴とするホログラム装置。
【請求項７】
上記レーザ発振部は光を共振させる共振器の反射部の表面を凹凸形状に形成して共振器長に長短を生じさせ、該共振器長に応じた波長の光を共振させることでレーザ光の主モードとサイドモードの波長帯域を広げ、発振するレーザ光の主モードとサイドモードが一体的に連続することを特徴とする請求項６記載のホログラム装置。
【請求項８】
レーザ光を発振するレーザ発振部を有し、該レーザ発振部から発振されるレーザ光をホログラム記録媒体に入射させるホログラム装置において、
振幅が一定範囲で変化する電流を発生させる電流変調部を有し、該電流変調部で発生させた変調電流をレーザ発振部に入力し発振するレーザ光の波長を一定範囲で変化させ、波長を変調したレーザ光を上記ホログラム記録媒体に入射させることを特徴とするホログラム装置。
【請求項９】
上記ホログラム記録媒体は波長多重により情報が記録されてなり、上記レーザ発振部が発振するレーザ光の波長範囲は波長多重におけるレーザ光の波長間隔よりも狭いことを特徴とする請求項１〜８のいずれか１項に記載のホログラム装置。
【発明の詳細な説明】
【技術分野】
【０００１】
本発明はレーザ光をホログラム記録媒体に入射させて情報を再生するホログラム装置に関し、より詳細には波長帯域を広くしたレーザ光をホログラム記録媒体に入射させるホログラム装置に関する。
【背景技術】
【０００２】
従来からコンピュータ等に用いられる記録装置としては、磁気や光によって情報を記録媒体に対して２次元的に書込み、読込みを行うものが広く用いられている。磁気を用いた記録装置としては、フロッピー（登録商標）ディスクやハードディスクなどが知られており、光を用いた記録装置としては、ＣＤやＤＶＤなどが知られている。これら記録装置は、大容量化の要求に応えるため、これまでに記録密度に関して著しい進歩を果たしてきたものである。そして、さらなる大容量化のための手段として、ホログラムの原理を用いた記録装置の開発が進められている。
【０００３】
ホログラム装置は、レーザ光を物体光、参照光として用い、情報をページ単位で書込み、また読出すもので、例えば特許文献１に記載されているものがある。情報を書込むには、符号化されたページ単位の情報を物体光としてホログラム記録媒体に入射させ、この物体光をホログラム記録媒体上で参照光と干渉させる。そしてホログラム記録媒体にその干渉縞を回折格子として書込むことで情報を書込む。この書込み状態をベクトルで表すと図１２（Ａ）のようになり、物体光、参照光、及び回折格子のベクトルによって三角形が閉じた状態となる。
【０００４】
ホログラム記録媒体に記録された情報を読出すには、参照光を書込み時と同じ角度でホログラム記録媒体に入射させる。ホログラム記録媒体に入射した参照光は、ホログラム記録媒体に書込まれた回折格子において回折する。この回折光は書込み時に入射させた物体光と同じ波面を有するため、この回折光をＣＣＤやＣＭＯＳ等で読込むことにより情報を読出すことができる。この読出し状態をベクトルで表すと図１２（Ｂ）のようになり、書込み時の物体光ベクトルと等しい回折光ベクトルが参照光ベクトルと回折格子ベクトルによって再生される。
【特許文献１】特開２００３−４３９０４号公報
【発明の開示】
【発明が解決しようとする課題】
【０００５】
ところで、ホログラム装置に対する外部からの衝撃や、ホログラム記録媒体配置時の配置誤差、あるいは埃の介入などにより、ホログラム記録媒体の位置が所定位置より微妙にずれる場合がある。この場合、書込み時と読込み時でホログラム記録媒体に対する参照光の入射角が異なってしまい、参照光が回折格子によって回折されないので回折光は発生せず、書込み時の物体光の波面が再現されないことから書込まれた情報を読出すことができなくなる。これをベクトルで表すと図１２（Ｃ）のようになり、再生しようとする回折光ベクトルと、参照光ベクトル及び回折格子ベクトルによってつくられるベクトルが一致しないので、回折光が発生しない状態となる。これはレーザ発振部側の位置がずれた場合も同様である。
【０００６】
本発明は以上の問題点を鑑みてなされたものであり、入射するレーザ光とホログラム記録媒体の位置関係のずれを補正可能なホログラム装置を提供することを目的とする。
【課題を解決するための手段】
【０００７】
上記の課題を解決するため本発明に係るホログラム装置は、マルチモードのレーザ光を発振するレーザ発振部を有し、該レーザ発振部から発振されるレーザ光をホログラム記録媒体に入射させるホログラム装置において、上記レーザ発振部から発振されるレーザ光の主モードは隣接するサイドモードと連続する波長の半値幅を有し、上記レーザ光は主モードとサイドモードが連続的な波長分布を有して上記ホログラム記録媒体に入射することを特徴として構成されている。
【０００８】
また本発明に係るホログラム装置は、上記レーザ発振部は光を共振させる共振器の反射部の表面を凹凸形状に形成して共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴として構成されている。
【０００９】
また本発明に係るホログラム装置は、上記レーザ発振部は光を共振させる共振器の反射部が多層膜フィルタにより構成され、該多層膜フィルタは膜厚方向に丘陵状となる反射光強度分布を持たせて共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴として構成されている。
【００１０】
また本発明に係るホログラム装置は、上記レーザ発振部は光を共振させる共振器の反射部が多層膜フィルタにより構成され、該多層膜フィルタは所定の反射光強度を有するための最小膜厚の１．５倍以上の膜厚を持たせて共振器長に長短を生じさせ、該共振器長に応じた波長の光を共振させることでレーザ光の主モードとサイドモードの波長帯域を広げ、発振するレーザ光の主モードとサイドモードが連続する波長の半値幅を持つことを特徴として構成されている。
【００１１】
また本発明に係るホログラム装置は、上記主モードのピーク値と、上記主モードとサイドモードが連続する部分との発光強度差が２０ｄＢ以内であることを特徴として構成されている。
【００１２】
また本発明に係るホログラム装置は、マルチモードのレーザ光を発振するレーザ発振部を有し、該レーザ発振部から発振されるレーザ光をホログラム記録媒体に入射させるホログラム装置において、
上記レーザ発振部から発振されるレーザ光は主モードとサイドモードが一体的に連続した丘陵状の波長分布を有して上記ホログラム記録媒体に入射することを特徴として構成されている。
【００１３】
また本発明に係るホログラム装置は、上記レーザ発振部は光を共振させる共振器の反射部の表面を凹凸形状に形成して共振器長に長短を生じさせ、該共振器長に応じた波長の光を共振させることでレーザ光の主モードとサイドモードの波長帯域を広げ、発振するレーザ光の主モードとサイドモードが一体的に連続することを特徴として構成されている。
【００１４】
また本発明に係るホログラム装置は、レーザ光を発振するレーザ発振部を有し、該レーザ発振部から発振されるレーザ光をホログラム記録媒体に入射させるホログラム装置において、
振幅が一定範囲で変化する電流を発生させる電流変調部を有し、該電流変調部で発生させた変調電流をレーザ発振部に入力し発振するレーザ光の波長を一定範囲で変化させ、波長を変調したレーザ光を上記ホログラム記録媒体に入射させることを特徴として構成されている。
【００１５】
また本発明に係るホログラム装置は、上記ホログラム記録媒体は波長多重により情報が記録されてなり、上記レーザ発振部が発振するレーザ光の波長範囲は波長多重におけるレーザ光の波長間隔よりも狭いことを特徴として構成されている。
【発明の効果】
【００１６】
本発明に係るホログラム装置によれば、レーザ光の主モードとサイドモードが連続的な波長分布を有しているので、レーザ光とホログラム記録媒体の位置関係が微妙にずれてレーザ光の入射角がずれた場合でも、波長の異なるレーザ光も入射しているので、このレーザ光の波長の違いにより入射角のずれを補正することができる。
【００１７】
また本発明に係るホログラム装置によれば、レーザ発振部は光を共振させる共振器の反射部の表面を凹凸形状に形成して共振器長に長短を生じさせているので、レーザ光の主モードとサイドモードが連続的な波長分布を有している状態を作り出すことができる。
【００１８】
また本発明に係るホログラム装置によれば、レーザ発振部は光を共振させる共振器の反射部が多層膜フィルタにより構成され、該多層膜フィルタは膜厚方向に丘陵状となる反射光強度分布を持たせて共振器長に長短を生じさせているので、レーザ光の主モードとサイドモードが連続的な波長分布を有している状態を作り出すことができる。
【００１９】
また本発明に係るホログラム装置によれば、レーザ発振部は光を共振させる共振器の反射部が多層膜フィルタにより構成され、該多層膜フィルタは所定の反射光強度を有するための最小膜厚の１．５倍以上の膜厚を持たせて共振器長に長短を生じさせているので、レーザ光の主モードとサイドモードが連続的な波長分布を有している状態を作り出すことができる。
【００２０】
また本発明に係るホログラム装置によれば、主モードと、主モードとサイドモードが連続する部分との発光強度差が２０ｄＢ以内であるので、レーザ光は主モードとサイドモードが連続する部分においても必要十分な発光強度を有するようになる。
【００２１】
また本発明に係るホログラム装置によれば、レーザ光は主モードとサイドモードが一体的に連続した丘陵状の波長分布を有しているので、レーザ光とホログラム記録媒体の位置関係が微妙にずれてレーザ光の入射角がずれた場合でも、発光強度が等しく波長の異なるレーザ光が入射するので、このレーザ光の波長の違いにより入射角のずれを補正することができる。
【００２２】
また本発明に係るホログラム装置によれば、レーザ発振部は光を共振させる共振器の反射部の表面を凹凸形状に形成して共振器長に長短を生じさせているので、レーザ光の主モードとサイドモードが一体的に連続した丘陵状の波長分布を有している状態を作り出すことができる。
【００２３】
また本発明に係るホログラム装置によれば、振幅が一定範囲で変化する電流を発生させる電流変調部を有し、電流変調部で発生させた変調電流をレーザ発振部に入力し発振するレーザ光の波長を一定範囲で変化させるので、レーザ光が最小波長から最大波長まで変化する間の発振を一回の発振とみると、この最小波長から最大波長まで波長帯域を有するレーザ光とみなすことができ、レーザ光とホログラム記録媒体の位置関係が微妙にずれてレーザ光の入射角がずれた場合でも、発光強度が略等しく波長の異なるレーザ光が入射するので、このレーザ光の波長の違いにより入射角のずれを補正することができる。
【００２４】
また本発明に係るホログラム装置によれば、レーザ発振部が発振するレーザ光の波長範囲は波長多重におけるレーザ光の波長間隔よりも狭いことから、レーザ発振部が発振するレーザ光が波長多重による他の波長帯域のレーザ光と干渉するのを防ぐことができる。
【発明を実施するための最良の形態】
【００２５】
以下、本発明の実施の形態について、図面を参照しつつ詳細に説明する。まず、第一の実施形態について説明する。図１は本発明の第一の実施形態におけるホログラム装置の概略構成図、図２は本発明の第一の実施形態における半導体レーザの断面図、図３はへき開面近傍の拡大断面図、図４は第一の実施形態における半導体レーザから発振されるレーザ光のスペクトル図、図５は参照光の波長変化による角度ずれの補正を表すベクトル図である。
【００２６】
本実施形態におけるホログラム装置１は、読出し専用装置として構成されたものであり、図１に示すようにホログラム記録媒体１０と、このホログラム記録媒体１０に入射させる参照光を発振するレーザ発振部たる半導体レーザ２０と、半導体レーザ２０から発振されたレーザ光を平行光にする、または参照光がホログラム記録媒体１０に入射して回折した回折光を結像するレンズ３０、４０と、レンズ４０によって結像された回折光を検出して情報を読出すＣＣＤ５０とを有する。
【００２７】
本実施形態においては、ホログラム記録媒体１０には符号化されたページ単位の情報を有する物体光と、参照光とを干渉させてできた干渉縞が、回折格子として予め書込まれているものとする。このホログラム記録媒体１０は予めホログラム装置１内に配置されていてもよく、あるいはリムーバブルディスクとして挿入等される形式としてもよい。
また、半導体レーザ２０から発振されるレーザ光はマルチモード、すなわち最も発光強度の強い主モードを中心として、ある波長間隔を置いて複数のサイドモードが発生するものであるとする。このサイドモードは、その波長が主モードの波長から離れるほど発光強度は弱くなる。
【００２８】
以下、半導体レーザ２０の構成についてより詳細に説明する。本実施形態で使用する半導体レーザ２０は図２に示すように、概略の構造は通常の半導体レーザと同様であり、活性層２１がＰ型とＮ型のクラッド層２２、２３で挟まれ、さらにその外側に基板２４や絶縁体２５、正負の電極２６、２７を有するものである。そして、活性層２１の側面はへき開面２１ａ、２１ａと呼ばれ、屈折率の違いから反射鏡として作用する。このへき開面２１ａ、２１ａが共振器の役割を担い、このへき開面２１ａ、２１ａで光が反射されて活性層２１内で共振することで光は増幅され、しきい値を越えたときにレーザ光として発振される。
【００２９】
通常、このへき開面２１ａ、２１ａは非常にきれいな平坦面に加工され、これにより半値幅の狭く、波長のそろった発光強度の強いレーザ光を発振するようにしている。しかし本実施形態では図３に示すように、このへき開面２１ａ、２１ａに凹凸を形成する。一般に半導体レーザは、半導体レーザ数十個分の面積を有する基板に対してクラッド層や活性層、電極などを積層し、これを切断して分割することで半導体レーザを形成する。そこで、この切断の際に切断面を通常よりも荒くすることにより、へき開面２１ａ、２１ａに凹凸を形成する。
【００３０】
このようにへき開面２１ａ、２１ａに凹凸を設けることにより、このレーザ光は主モードとサイドモードが連続的な波長分布を有するようにしている。すなわち、活性層２１から発振されるレーザ光の波長λは、活性層２１のへき開面からへき開面までの長さをＬとすると、
【数１】
2005148493.tif 000003
の関係を満たす。ここで、本実施形態ではへき開面２１ａ、２１ａに凹凸を設けたことで、長さＬが場所によって微妙に異なっているので、半導体レーザ２０から発振されるレーザ光は、（１）式の関係から長さＬの長短に伴って様々な波長で発振されるようになる。これにより主モード及びサイドモードは図４に示すように、発光強度は落ちるものの、本来の発振波長を中心としてその近傍波長でも出力を有するようになり、波長の半値幅が広がる。そしてこのように各モードが本来よりも広い波長の半値幅の状態で発光する状態になることにより、本来不連続である主モードとサイドモードの波長分布が連続するようになる。このとき、主モードのピーク値と、主モードとサイドモードが連続する部分との発光強度差が２０ｄＢ以内となるようにすれば、レーザ光は主モードとサイドモードが連続する部分においても必要十分な発光強度を有するようになる。
【００３１】
ここで、参照光の波長及び入射角と回折光の発生の関係について説明する。参照光がホログラム記録媒体１０上の回折格子に入射した際に参照光が回折するための入射角（反射角）θと波長λの関係は、
【数２】
2005148493.tif 000004
と表される。このことから、参照光とホログラム記録媒体１０の位置関係が微妙にずれて参照光の入射角θがずれた場合、参照光の波長を変えることで補正可能であることがわかる。そこで本実施形態のように、連続的な波長分布を有するレーザ光を参照光としてホログラム記録媒体１０に入射させることで、いずれかの波長のレーザ光が上記（２）式の条件を満たして回折し、この回折光によりホログラム記録媒体１０に書込まれた情報を再生させることができる。これをベクトルで表すと図５のようになり、参照光ベクトルと回折格子ベクトルとのなす角が大きくなった場合、参照光ベクトルの大きさを小さくする、すなわち波長を短くすることにより、書込み時の物体光ベクトルと等しい回折光のベクトルが参照光ベクトルと回折格子ベクトルによって再生される。
【００３２】
なお、各モードの波長の半値幅の広がり具合は、へき開面２１ａ、２１ａに形成する凹凸の大きさによって決まる。凹凸の大きさが大きければそれだけ長さＬ長短の違いも大きく、従って発振されるレーザ光の各モードの波長の半値幅も広くなる。そこでこのへき開面２１ａ、２１ａの凹凸を大きくすることで各モードの半値幅を広げ、図６のように各モードが一体的に連続した丘陵状の波長分布を有するレーザ光を発振するようにしてもよい。こうすることにより一定の波長範囲において略同じ発光強度を有するレーザ光をホログラム記録媒体１０に入射させることができ、回折光の出力を略一定にすることができる。ただしこの場合、半導体レーザ２０の発光強度が十分強い必要がある。
【００３３】
またホログラム記録においては、レーザ光の波長を多重させた情報の多重記録が行われることがある。この場合、多重する他のレーザ光と干渉しないように、連続した波長分布を有するレーザ光の波長範囲は、波長多重によるレーザ光の波長間隔よりも狭い必要がある。
【００３４】
ここで波長変化による角度ずれの補正を具体例を挙げて説明する。図７のように幅Ｗ＝５０ｍｍのホログラム記録媒体１０に波長λ＝６５０nmの参照光が入射角θ＝３５度で入射する場合に、直径Ｒ＝０．５ｍｍのゴミがホログラム記録媒体１０の下に入り込んだとする。この場合、このゴミによって入射角が０．０１度小さくなるので、これに対して必要な波長変化量は、上記（２）式から約−０．１６ｎｍとなる。よってこの場合、主モードの波長から約０．１６ｎｍ短い波長帯域においてもレーザ光が出力を有していれば、この波長のレーザ光がホログラム記録媒体１０上の回折光で回折し、ホログラム記録媒体１０に書込まれた情報を再生させることができる。
【００３５】
以上、本発明の第一の実施形態について説明した。上記第一の実施形態においては、へき開面２１ａ、２１ａに凹凸を設けて共振器長に長短を生じさせ、各モードの半値幅を広げることとした。しかし、この方法以外でも共振器長に長短を生じさせることは可能である。以下、他の方法により共振器長に長短を生じさせ、各モードの半値幅を広げる第二の実施形態について説明する。図８は本発明の第二の実施形態における半導体レーザの活性層の拡大断面図、図９は本発明の第二の実施形態における多層膜フィルタの反射光強度を表すグラフである。
【００３６】
本実施形態で用いるホログラム装置１の構成は、上記第一の実施形態で説明したものと略同様であり、ホログラム記録媒体１０、半導体レーザ２０、レンズ３０、４０、及びＣＣＤ５０を有する。ここで、本実施形態で使用する半導体レーザ２０は図８に示すように、活性層２１の両端面に多層膜フィルタ２１ｂ、２１ｂを形成し、これを反射鏡として共振器が構成されている。
従来、多層膜フィルタで反射鏡を構成する場合には、図１３に示すように反射光強度分布の中心が全膜厚Ｓの３０％以内の位置となるように、かつこの反射光強度分布の中心近傍にのみ反射光強度分布を有するように成膜される。しかし本実施形態においては、図９に示すように、反射光強度分布の中心が全膜厚Ｓの中心付近となるように、かつ反射光強度分布が膜厚方向に緩やかに変化する丘陵状となるように成膜されている。多層膜フィルタはその膜厚と膜構成を調節することにより、任意の反射光強度分布を持たせることが可能であることから、このような反射光強度分布を有する多層膜フィルタ２１ｂ、２１ｂを成膜することも可能である。
【００３７】
このように反射光強度分布の中心が全膜厚Ｓの中心付近となるように、かつ反射光強度分布が膜厚方向に緩やかに変化する丘陵状となるように多層膜フィルタ２１ｂ、２１ｂを成膜することで、第一の実施形態と同様に共振器長に長短が生じ、半導体レーザ２０からレーザ光が様々な波長で発振されるようになる。これにより主モード及びサイドモードは図４に示すように、発光強度は落ちるものの、本来の発振波長を中心としてその近傍波長でも出力を有するようになって波長の半値幅が広がり、主モードとサイドモードの波長分布が連続するようになる。
なお、このように反射光強度分布を丘陵状とせずに、共振器として必要な所定の反射光強度を有するための最小膜厚よりも１．５倍以上の膜厚で、この最小膜厚と同一の反射光強度を有するように多層膜フィルタ２１ｂ、２１ｂを成膜することによっても、同様に共振器長に長短を生じさせることができる。
【００３８】
以上、本発明の第二の実施形態について説明した。上記第一、第二の実施形態においては、各モードの半値幅を広げることにより波長分布が連続した参照光をホログラム記録媒体１０に入射させることで、参照光のホログラム記録媒体１０への入射角のずれを補正することとした。しかし、この方法以外でも入射角のずれを補正することは可能である。以下、他の方法により入射角のずれを補正する第三の実施形態について説明する。図１０は本発明の第三の実施形態におけるホログラム装置の概略構成図、図１１は本発明の第三の実施形態における半導体レーザから発振されるレーザ光のスペクトル図である。
【００３９】
本実施形態で用いるホログラム装置１の構成は上記第一、第二の実施形態で説明したものと略同様であり、図１０に示すようにホログラム記録媒体１０、半導体レーザ２０、レンズ３０、４０、及びＣＣＤ５０を有する。ここで、本実施形態で使用する半導体レーザ２０は、第一の実施形態のようにへき開面２１ａ、２１ａに凹凸を設けたものではなく、平坦面に加工された、共振器長が略一定の一般的に用いられているものを使用する。その代わり、本実施形態においては、ホログラム装置１は電流変調部６０を有しており、この電流変調部６０から半導体レーザ２０に電流が供給される構成となっている。半導体レーザは入力する電流を変化させると、半導体レーザから発振されるレーザもその波長が若干変化することが知られている。そこで例えば正弦波形の電流など振幅が一定範囲で変化する電流を発生させる電流変調部６０を設け、この変調電流を半導体レーザ２０に入力することにより、レーザ光の波長を一定範囲で変化させる。この電流変調部６０はＦＥＴなどから構成されるものである。
なお、半導体レーザ２０は、第二の実施形態のように活性層２１の両端面に多層膜フィルタ２１ｂ、２１ｂを形成して反射鏡とする構成でもよい。ただしこの場合も、第二の実施形態のような反射光強度分布が丘陵状のものではなく、図１３に示すような従来の反射光強度分布を有するものを使用する。
【００４０】
ここでレーザ光が最小波長λ1から最大波長λ2まで変化する間の発振を一回の発振とみると、レーザ発振部から発振されるレーザ光は図１１に示すように、この最小波長λ1から最大波長λ2までの波長帯域を有するレーザ光とみなすことができる。このことから、参照光とホログラム記録媒体１０の位置関係が微妙にずれて参照光の入射角θがずれた場合でも、いずれかの波長のレーザ光が上記（２）式の条件を満たして回折し、この回折光によりホログラム記録媒体１０に書込まれた情報を再生させることができる。ただし確実に回折光を得るためには、ホログラム記録媒体１０に対してレーザ光を、少なくとも電流変化の一周期分の時間照射する必要がある。
【００４１】
なお、ここでは入力電流を変調させることで半導体レーザ２０から発振されるレーザ光の波長を変調させることとしたが、この方法以外にも、半導体レーザとしてＤＢＲレーザや外部キャビティレーザを使用することで、発振波長を変調させることは可能である。
【００４２】
以上、本発明の実施形態について説明した。上記各実施形態においては、ホログラム装置として読出し専用装置として構成されたものを例に挙げて説明した。しかし、書込みと読出しの双方が可能なホログラム装置の場合も本発明は同様に適用可能である。
【図面の簡単な説明】
【００４３】
【図１】本発明の第一の実施形態におけるホログラム装置の概略構成図である。
【図２】本発明の第一の実施形態における半導体レーザの断面図である。
【図３】へき開面近傍の拡大断面図である。
【図４】第一の実施形態における半導体レーザから発振されるレーザ光のスペクトル図である。
【図５】参照光の波長変化による角度ずれの補正を表すベクトル図である。
【図６】各モードの波長分布を一体的に連続させたレーザ光のスペクトル図である。
【図７】波長補正の具体例を示す図である。
【図８】本発明の第二の実施形態における半導体レーザの活性層の拡大断面図である。
【図９】本発明の第二の実施形態における多層膜フィルタの反射光強度を表すグラフである。
【図１０】本発明の第三の実施形態におけるホログラム装置の概略構成図である。
【図１１】第三の実施形態における半導体レーザから発振されるレーザ光のスペクトル図である。
【図１２】ホログラム記録媒体への情報の書込み及び読出し状態を表すベクトル図である。
【図１３】従来の半導体レーザの反射鏡を構成する多層膜フィルタの反射光強度分布を表すグラフである。
【符号の説明】
【００４４】
１      ホログラム装置
１０      ホログラム記録媒体
２０      半導体レーザ
２１      活性層
２１ａ    へき開面
２１ｂ    多層膜フィルタ
２２      Ｐ型クラッド層
２３      Ｎ型クラッド層
３０      レンズ
４０      レンズ
５０      ＣＣＤ
６０      電流変調部
【図１】
2005148493.tif 000005
【図２】
2005148493.tif 000006
【図３】
2005148493.tif 000007
【図４】
2005148493.tif 000008
【図５】
2005148493.tif 000009
【図６】
2005148493.tif 000010
【図７】
2005148493.tif 000011
【図８】
2005148493.tif 000012
【図９】
2005148493.tif 000013
【図１０】
2005148493.tif 000014
【図１１】
2005148493.tif 000015
【図１２】
2005148493.tif 000016
【図１３】
2005148493.tif 000017